(57)【要約】【課題】従来のプラスチック製の円筒容器タイプのウエットシート包装体に比べてゴミの減容化や低減が可能で、低コストで製造でき、しかも従来の袋タイプのウエットシート包装体よりも使い勝手がよく経済的なウエットシート包装体を提供する。【解決手段】内部にウエットシート体３が収容されて周縁部４がシールされていることにより密封された袋体２を備える。袋体２の前面部２３には、袋体２の上縁シール部４１よりも下側の位置に、最初の開封時に引きちぎられることによってウエットシート取り出し口５を形成する破断予定部６を形成する。袋体２の前面部２３の内面側には、開封後にウエットシート取り出し口５を気密・液密状態に閉鎖しうる開閉可能なジッパー９を設ける。【選択図】図２
2011255902.tif 000002
【特許請求の範囲】
【請求項１】
ガスバリアー性を有する可撓性シートによって形成され、内部にウエットシート体（３）が収容されて周縁部（４）がシールされていることにより密封された袋体（２）を有し、
袋体（２）の前面部（２３）には、袋体（２）の上縁シール部（４１）よりも下側の位置に、最初の開封時に引きちぎられることによってウエットシート取り出し口（５）を形成する破断予定部（６）が形成されており、
袋体（２）の前面部（２３）の内面側には、開封後に前記ウエットシート取り出し口（５）を気密・液密状態に閉鎖しうる開閉可能なジッパー（９）が設けられていることを特徴とするウエットシート包装体。
【請求項２】
ジッパー（９）は、前面側（９１ａ）がウエットシート取り出し口（５）の下縁部（５１）の袋体内面側に接合されて後面側（９１ｂ）に第１係合部（９１ｃ）が形成された第１ジッパー片（９１）と、上部（９２ａ）がウエットシート取り出し口（５）の上縁部（５２）の袋体内面側に接合されて下部（９２ｂ）の前面側に第１ジッパー片（９１）の第１係合部（９１ｃ）と係脱可能な第２係合部（９２ｃ）が形成された第１ジッパー片（９２）とを具備し、両係合部（９１ｃ・９２ｃ）の係合によりウエットシート取り出し口（５）を気密・液密状態に閉鎖する、請求項１記載のウエットシート包装体。
【請求項３】
袋体（２）は、正面視で長方形もしくは正方形または台形であり、その両側部（２１・２１）および／または底部（２２）にガゼット（Ｇ）が形成されている、請求項１または２記載のウエットシート包装体。
【請求項４】
袋体（２）には、内部に収容されたウエットシート体（３）からその一部のウエットシート片（３１）をウエットシート取り出し口（５）より外部に引き出す際に、残部のウエットシート体（３）が外部に共に引き出されてしまうことなく袋体内に留まるように、前記ジッパー（９）よりも下側の位置において、袋体内スペース（Ｓ）の幅寸法（Ｌ）を制限してウエットシート体（３）の外部への移動を規制する絞り部（１０）が設けられている、請求項１または３のいずれかに記載のウエットシート包装体。
【請求項５】
絞り部（１０）は、袋体（２）の幅方向の少なくとも一端側から中央側に向けて所定の幅分だけ袋体（２）の前面部（２３）と後面部（２４）とを接合してなる、請求項４記載のウエットシート包装体。
【請求項６】
絞り部（１０）は、袋体（２）の前面部（２３）および／または後面部（２４）と少なくとも一方の側面部（２１）とを接合してなる、請求項４記載のウエットシート包装体。
【発明の詳細な説明】
【技術分野】
【０００１】
本発明は、ガスバリアー性を有する可撓性シートによって形成された袋体の内部にウエットシート（化粧料シートを含む）を収容したウエットシート包装体に関する。
【背景技術】
【０００２】
不織布製のシートにアルコールなどの液体成分を含浸させたウエットシート（化粧料成分を含浸させた化粧料シートを含む）は、清拭や化粧などに使用される衛生用品として周知である。このようなウエットシートは、使用するまでに乾燥してしまわないように気密性を有する袋や容器に収容されたウエットシート包装体として提供されるのが通例である。
【０００３】
この種のウエットシート包装体としては、従来、主として２つのタイプが存在する。一つは、携帯に便利な袋タイプのもので、プラスチックフィルム或いはこれにアルミニウム箔などを積層（ラミネート）してなる複合フィルムを用いて、その両サイドを熱融着によりシールして袋状とし、これにウエットシートを収納して密封した、いわゆる両サイド平面熱融着シールピロー包装品などである。このタイプには、飲食店などで客に提供される使い捨てタイプのウエットティシュ包装体も含まれる。
【０００４】
もう一つは、主に住居や車内などで使用される円筒容器タイプのもので、プラスチック製の有底円筒容器（ブロー成形品）にロール状のウエットシートを入れ、その開口端側に、内部に収納されたウエットシートの乾燥を防止しつつ当該シートを一定の長さ分ずつ取り出せるように工夫した蓋を装着したものである（例えば特許文献１参照）。この円筒容器タイプのものは、通常はウエットシートを収容した容器を立てた状態にして置いておき、その上部の蓋に設けられたシート取り出し口からウエットシートを一定長さ分ずつ引き出して使用するようになっており、ロール状のウエットシートが無くなるまで使用できて使い勝手が良いというメリットがある。
【先行技術文献】
【特許文献】
【０００５】
【特許文献１】特開２０００−３５５３４０号公報
【発明の概要】
【発明が解決しようとする課題】
【０００６】
しかしながら、最近では環境保全の観点からゴミを如何に少なくするか、つまりゴミの減容化が重要な課題となっており、この点において、上述したようなプラスチックのブロー成形品からなる従来の円筒容器タイプのウエットシート包装体は、袋タイプのものと比べるとプラスチックの使用量が相対的に多いのみならず、使用済み容器の減容化も困難であるという問題があった。また、包装体を構成するプラスチック製の円筒容器や蓋はブロー成形や射出成形で製造されるため、袋タイプのものと比べると製造コストが高くつくという問題がある。
【０００７】
一方、従来の袋タイプのウエットシート包装体では、ウエットシートを使用する際、そのつど袋を破って中のウエットシートを取り出さなければならい。すなわち、円筒容器タイプのウエットシート包装体のように必要なウエットシートのみを素早く取り出すことができないため、携帯用としては便利であっても家庭等での使い勝手が円筒容器タイプのものに比べると劣るという問題がある。また、いったん開封してしまうとウエットシートの乾燥を防ぐことができないため、一回使い捨てタイプのものに限られてしまい、不経済であるという問題がある。
【０００８】
本発明は、上記のような点に鑑みてなされたもので、従来のプラスチック製の円筒容器タイプのウエットシート包装体に比べてゴミの減容化や低減が可能で、低コストで製造でき、しかも従来の袋タイプのウエットシート包装体よりも使い勝手がよく経済的なウエットシート包装体を提供することを目的とする。
【課題を解決するための手段】
【０００９】
上記の目的を達成するため、本発明のウエットシート包装体は、以下のように構成したことを特徴とする。すなわち、本発明のウエットシート包装体は、内部にウエットシート体が収容されて周縁部がシールされていることにより密封された袋体を有する。袋体は、例えば、ガスバリアー性を有する可撓性シートによって形成する。袋体の前面部には、袋体の上縁シール部よりも下側の位置に、最初の開封時に引きちぎられることによってウエットシート取り出し口を形成する破断予定部を形成し、袋体の前面部の内面側には、開封後にウエットシート取り出し口を気密・液密状態に閉鎖しうる開閉可能なジッパーを設ける。
【００１０】
具体的には、ジッパーは、前面側がウエットシート取り出し口の上縁部の袋体内面側に接合されて後面側に第１係合部が形成された第１ジッパー片と、上部がウエットシート取り出し口の上縁部の袋体内面側に接合されて下部の前面側に第１ジッパー片の第１係合部と係脱可能な第２係合部が形成された第１ジッパー片とを具備した構成で、両係合部の係合によりウエットシート取り出し口を気密・液密状態に閉鎖するようになっている。
【００１１】
袋体は、正面視で長方形もしくは正方形または台形とし、その両側部および／または底部にガゼットを形成した構成とすることができる。
【００１２】
袋体には、内部に収容されたウエットシート体からその一部のウエットシート片をウエットシート取り出し口より外部に引き出した際に、残部のウエットシート体が外部に共に引き出されてしまうことなく袋体内に留まるように、前記ジッパーよりも下側の位置において、袋体内スペースの幅寸法を制限してウエットシート体の外部への移動を規制する絞り部を設けることができる。
【００１３】
この場合の絞り部は、袋体の幅方向の少なくとも一端側から中央側に向けて所定の幅分だけ袋体の前面部と後面部とを接合してなる構成としてもよいし、袋体の前面部および／または後面部と一方の側面部とを接合してなる構成としてもよい。
【００１４】
なお、本発明ウエットシート包装体において、袋体の素材として使用する、ガスバリアー性を有する可撓性シートとしては、ポリエチレンやポリプロピレンなどのプラスチック製のフィルムや、この種のプラスチック製フィルムにアルミニウム箔あるいはアルミニウム蒸着層などを積層してなる複合フィルム（ラミネートフィルム）を挙げることができる。
【発明の効果】
【００１５】
本発明のウエットシート包装体によれば、袋体の前面部において上縁シール部よりも下側に形成されている破断予定部を最初の開封時に引きちぎることによってウエットシート取り出し口が形成される。このウエットシート取り出し口は、最初の開封直後は袋体の前面部の内面側に設けられている開閉可能なジッパーによって気密・液密状態に閉鎖されているが、このジッパーを開操作することによって当該ウエットシート取り出し口を開くことができる。したがって、こうして形成されたウエットシート取り出し口より、袋体内のウエットシート体から必要分のウエットシート片を外部に引き出すことができる。
【００１６】
その場合、例えばロール状のウエットシート体であれば、その中心部から必要分のウエットシート片を外部に引き出したときに、当該ウエットシート体の上端周縁部が、袋体前面部の内面側に設けられて開状態となっているジッパーに部分的に引っ掛かったり当接したりする。言い換えると、袋体前面部の内面側に設けられたジッパーが、内部に収容されているロール状のウエットシート体の外部への抜け出しを阻止するストッパーとして機能する。その結果、引き出されたウエットシート片以外の残部のウエットシート体は、外部に共に引き出されてしまうことなく袋体内に留まることとなる。こうして、本発明のウエットシート包装体によれば、ウエットシート取り出し口を開いて内部のウエットシート体からウエットシート片を必要な分だけ簡単に取り出すことができる。
【００１７】
また、必要な分だけウエットシート片を引き出した後は、ジッパーを閉操作してウエットシート取り出し口を閉じておくことによって袋体を密閉状態に保っておけるので、袋体内にある残部のウエットシート体の乾燥を防ぐことができる。したがって、袋体内のウエットシート体が完全に無くなってしまうまで所定の湿潤状態を保ったまま繰り返し使えるので、一回使い捨てタイプのものに比べると経済的である。なお、円筒容器タイプのウエットシート包装体の場合、通常は容器内に収容されているウエットシート体が外部から視認できないようになっているので残部のウエットシート量を知るのは難しいが、本発明のウエットシート包装体では、ウエットシート取り出し口を開けたときに袋体内のウエットシート体が外部から或る程度視認できるので、そのつど袋体内に残っているウエットシートの量を知ることができる。袋体を、その内部を視認できるような透明あるいは半透明のシートで形成した場合には、内部に残っているウエットシートの量を常に知ることができることとなるのは勿論である。
【００１８】
このように本発明のウエットシート包装体においては、最初に使用する際に袋体の前面部における破断予定部を引きちぎってウエットシート取り出し口を形成しておけば、その後はジッパーを開操作して開いたウエットシート取り出し口からウエットシート片を引き出すことで必要な分だけのウエットシートを簡単に取り出すことができる。そして、取り出し後はジッパーを閉操作してウエットシート取り出し口を閉じておくことで、次に使用するまで袋体を密閉して内部のウエットシートの湿潤状態を保っておくことができるので、従来の袋タイプのウエットシート包装体のようにウエットシートの使用時にその収容している袋をその都度破ったりゴミとして廃棄したりしなくても済むことになる。したがって、従来の袋タイプのものに比べて使い勝手が良く、使用するごとに袋のゴミが生じることもない。また、ウエットシートを使い切った場合には袋体のみを廃棄すればよいから、従来のプラスチック製の円筒容器を使用したウエットシート包装体と比べてゴミの発生量が少ないだけでなく、ゴミの減容化の点でも優れている。
【００１９】
本発明のウエットシート包装体は、袋体の内部にウエットシート体を収容した構成であるから、軽量で持ち運びに便利である。しかも、両側部や底部にガゼットを形成した袋体を使用することで自立タイプのウエットシート包装体も実現できる。自立タイプのウエットシート包装体とした場合には、平面タイプのものに比べて袋体の外表面積が増大するので、その分だけ広告や商品等の説明に使用可能なスペースも増える。また、袋体の底部や側部に形成されるガゼットは、袋体の内容量を増やしたり縦置き状態での安定性を高めたりする手段として有効であり、このようなガゼットを形成しておくことによって、ロール状のウエットシート体なども袋体内に収容しやすくなる。
【図面の簡単な説明】
【００２０】
【図１】本発明の実施例１に係るウエットシート包装体の全体構造を示す斜視図である。
【図２】実施例１に係るウエットシート包装体を、その一部を切り欠いた状態で示す正面図である。
【図３】図２のＡ−Ａ線断面図である。
【図４】実施例１に係るウエットシート包装体において破断予定部を引きちぎる際の動作を説明するために使用した袋体の上部を示す正面図である。
【図５】図４のＢ−Ｂ線断面図である。
【図６】実施例１に係るウエットシート包装体において破断予定部を引きちぎってウエットシート取り出し口を形成した後の袋体の上部を示す正面図である。
【図７】図６のＣ−Ｃ線断面図である。
【図８】実施例１に係るウエットシート包装体の使用状態を示す縦断面図である。
【図９】本発明の他の実施例に係るウエットシート包装体の上部を示す正面図である。
【図１０】図１０のＤ−Ｄ線断面図である。
【発明を実施するための形態】
【００２１】
（実施例）  図１および図２は、本発明の実施例１に係るウエットシート包装体の全体構造を示すものである。これらの図に示すように、本実施例に係るウエットシート包装体１は、ガスバリアー性および可撓性を有するプラスチックフィルム（図示例ではポリエチレンフィルム）からなる正面視で長方形の袋体２を有する。
【００２２】
図１および図３に示すように、袋体２の左右の両側部２１・２１および底部２２にはガゼットＧが形成されている。袋体２の内部にはロール状に巻かれたウエットシート体３が収容されており、その状態で袋体２の周縁部４がシール（ここではヒートシール）されていることにより、袋体２の内部が気密・液密の状態に保たれた構造となっている。
【００２３】
袋体２の前面部２３には、上縁シール部４１よりも下側の位置に、最初の開封時（使用時）に引きちぎられることによってウエットシート取り出し口５を形成する破断予定部６が形成されている。この破断予定部６は、図２および図５に示すように、袋体２の前面部２３を形成しているプラスチックフィルムの裏面側に、これよりも剛性のあるプラスチック製の帯状部材７を熱融着等で接合し、その一端に指等で裏側から手前側に容易に押し出すことのできる舌片状の脆弱部８を形成した構成である。そして、手間側に押し出した脆弱部８を掴んで他端側に引くことによって、図４ないし図７に示すように、帯状部材７とこれに接合されたフィルム部分２３ａとが一体となって引きちぎられて、その部分に上述のウエットシート取り出し口５が形成されるようになっている。
【００２４】
袋体２の前面部２３の内面側には、開封後にウエットシート取り出し口５を気密・液密状態に閉鎖しうる開閉可能なプラスチック製のジッパー９が設けられている。このジッパー９は、図５および図７に示すように、ウエットシート取り出し口５（破断予定部６）に沿って袋体２の幅方向に延びる第１ジッパー片９１と、これと係脱可能に結合される同じく第２ジッパー片９２とで構成されている。
【００２５】
第１ジッパー片９１は、その前面側９１ａがウエットシート取り出し口５の下縁部５１の袋体内面側に接合され、後面側９１ｂに凸条部分としての第１係合部９１ｃが形成されている。また、第２ジッパー片９２は、その上部９２ａがウエットシート取り出し口５の上縁部５２の袋体内面側に接合され、下部９２ｂの前面側に前記第１係合部９１ｃと係脱可能な凹条部分としての第２係合部９２ｃが形成されている。そして、図７に示すように、第１ジッパー片９１の第１係合部９１ｃと第２ジッパー片９２の第２係合部９２ｃとを係合させることによってウエットシート取り出し口５を閉鎖して、その部分の気密性・液密性を確保し、ひいては袋体２内を気密・液密状態に保って内部のウエットシート体３の乾燥を防止できるようになっている。
【００２６】
加えて、図示例の袋体２には、前記ジッパー９よりも下側の位置に、袋体内スペースＳの幅寸法（図２の左右方向の幅寸法）を制限してウエットシート体３の外部への移動を規制する絞り部１０が設けられている。この絞り部１０は、図示例の場合、袋体２の幅方向の左端側から中央側に向けて所定の幅分だけ袋体２の前面部２３と後面部２４とを接合（図示例では融着）することによって形成されており、この部分で袋体内スペースＳの幅寸法を制限して袋体２内のウエットシート体３の外部への移動を阻止することで、ウエットシート体３からその一部のウエットシート片３１をウエットシート取り出し口５より外部に引き出す際に、残部のウエットシート体３が外部に共に引き出されてしまうことなく袋体２内に留まるように構成されている。
【００２７】
上記のウエットシート包装体１は、図１に示したように袋体２の周縁部４をシールした状態で工場から出荷される。そして、最初に使用する際に図４に示したように破断予定部６を引きちぎることによって、図６に示したように破断予定部６のあった部分にウエットシート取り出し口５が形成されることとなる。この状態で、ジッパー９を開操作（第１係合部９１ｃと第２係合部９２ｃの係合を解除）して、図８に示すようにウエットシート取り出し口５を開くと、内部に収容されたウエットシート体３の引き出し側（中心部側）の端部３１ａが掴めるようになるので、この部分３１ａを掴んで外側に引き出すことで必要分のウエットシート片３１を取り出すことができる。
【００２８】
このとき、袋体２内に残っているロール状のウエットシート体３がウエットシート片３１ともに外部側に引っ張られるが、本実施例のウエットシート包装体３においては、図６〜図８等に示したように、ウエットシート取り出し口５が袋体２の前面部２３に形成され、これに沿って袋体２の内面側にジッパー９が設けられていることに加えて、ジッパー９よりも下側の位置に、袋体内スペースＳの幅寸法を制限してウエットシート体３の外部への移動を規制する絞り部１０が設けられているので、このジッパー９や絞り部１０の存在が、上記の袋体２外へと引き出されようとするウエットシート体３に対する抵抗となる。例えば、内部のロール状のウエットシート体３がウエットシート取り出し口５から外部に出ようとしても、当該ウエットシート体３の上端周縁部がジッパー９や絞り部１０に部分的に引っ掛かったり当接したりする。言い換えると、袋体前面部２３の内面側に設けられたジッパー９や袋体側部２１に形成されている絞り部１０が、内部に収容されているロール状のウエットシート体３の外部への抜け出しを阻止するストッパーとして機能する。その結果、引き出されたウエットシート片３１以外の残部のウエットシート体３は、外部に共に引き出されてしまうことなく袋体２内に留まることとなる。こうして、本発明のウエットシート包装体１によれば、ウエットシート取り出し口５を開いて内部のウエットシート体３からウエットシート片３１を必要な分だけ簡単に取り出すことができる。
【００２９】
また、上記のようにして必要な分だけ取り出した後において、ジッパー９を閉操作してウエットシート取り出し口５を再度閉じておけば、袋体２内が気密・液密状態に保たれるので、袋体２内にある残部のウエットシート体３の乾燥を防ぐことができる。したがって、袋体２内のウエットシート体３を完全に使い切ってしまうまでその湿潤状態を保つことができるから、一回使い捨てタイプのものに比べると経済的である。
【００３０】
このように上記のウエットシート包装体１においては、ウエットシート取り出し口５からウエットシート片３１を引き出すことで必要な分だけのウエットシートを簡単に取り出すことができるので、従来の袋タイプのウエットシート包装体のようにウエットシートを取り出す際にその都度袋を破ったりその破った袋をゴミとして捨てたりする必要がない。したがって、従来の袋タイプのものに比べて使い勝手が良く、使用の都度ゴミが生じることもない。また、ウエットシート体３を使い切った場合には袋体２のみを廃棄すればよいから、従来のプラスチック製の円筒容器を使用したウエットシート包装体と比べてゴミの発生量が少ないだけでなく、ゴミの減容化の点でも優れている。
【００３１】
上記のウエットシート包装体１においては、図２等に示したように、袋体２の一側部２１（図２の状態で左側部）にのみ絞り部１０を形成したが、図９および図１０に示すように、袋体２の両側に左右一対の絞り部１０・１０を形成してもよい。これらの絞り部１０・１０は、ジッパー９よりも下側の位置において、袋体２の幅方向（図９・図１０において左右方向）の両端側から中央側に向けて所定の幅分だけ袋体２の前面部２３と後面部２４とを、これらの間に位置する側面部のフィルム部分２１ａを挟んだ状態で接合・一体化することによって形成されている。この左右一対の絞り部１０・１０の先端間の幅Ｌは、図示例では袋体２内に収容されたロール状のウエットシート体３の直径Ｍより小さい寸法に設定されている。このような点以外は、実施例１のウエットシート包装体３と同様の構成とされているので、実施例１におけるものと同一の符号を付してその説明を省略する。
【００３２】
図９および図１０に示したウエットシート包装体１によれば、袋体２の前面部２３において、ジッパー９よりも下側の位置に左右一対の絞り部１０・１０が形成され、これらの絞り部１０・１０の先端間の幅Ｌが袋体２内に収容されたロール状のウエットシート体の３の直径Ｍよりも小さい寸法に設定されているので、ウエットシート体３の中心部側からウエットシート片３１を必要な分だけ引き出す際にこれと共にウエットシート体３が上方側へ引っ張られて外部に飛び出そうとしても左右の絞り部１０・１０によって確実に阻止されることとなる。すなわち、袋内２からウエットシート片３１を必要な分だけ取り出す際に、内部のウエットシート体３の外部への抜け出しを更に確実に防止できることとなる。
【符号の説明】
【００３３】
１  ウエットシート包装体
２  袋体
２１  袋体の両側部
２２  袋体の底部
２３  袋体の前面部
２４  袋体の後面部
３  ウエットシート体
３１  ウエットシート片
４  袋体の周縁部
４１  上縁シール部
５  ウエットシート取り出し口
５１  ウエットシート取り出し口の下縁部
５２  ウエットシート取り出し口の上縁部
６  破断予定部
９  ジッパー
９１  第１ジッパー片
９１ｃ  第１係合部
９２  第２ジッパー片
９２ｃ  第２係合部
１０  絞り部
Ｇ  ガゼット部
Ｓ  袋体内スペース
【図１】
2011255902.tif 000003
【図２】
2011255902.tif 000004
【図３】
2011255902.tif 000005
【図４】
2011255902.tif 000006
【図５】
2011255902.tif 000007
【図６】
2011255902.tif 000008
【図７】
2011255902.tif 000009
【図８】
2011255902.tif 000010
【図９】
2011255902.tif 000011
【図１０】
2011255902.tif 000012